(57)【要約】【課題】ロバスト性が高いというＰ２Ｐの特性を十分に活用することができる通信システムを提供する。【解決手段】少なくとも自己周辺と情報の送受信が可能となるようにリンク付けられた複数のノードと、複数のノードから取得した情報の少なくとも一つ以上を用いて拡張又は補間又は合成した状態でモニタ表示するための表示情報を生成する生成部と、を備える。【選択図】図２
2017142713.tif 000002
【特許請求の範囲】
【請求項１】
少なくとも自己周辺と情報の送受信が可能となるようにリンク付けられた複数のノードと、
前記複数のノードから取得した情報の少なくとも一つ以上を用いて拡張又は補間又は合成した状態でモニタ表示するための表示情報を生成する生成部と、
を備える通信システム。
【請求項２】
前記生成部は、
所定の条件で階層付けて設定した各階層で拡張又は補間又は合成条件を複合状態でモニタ表示するための表示情報を生成する、
請求項１に記載の通信システム。
【請求項３】
前記生成部は、
前記複数のノードのうちの一つのノードが取得した自己の情報に、前記複数のノードのうち少なくとも前記一つのノードの周辺のノードから取得した他の情報の少なくとも一部を含めることで拡張又は補間又は合成した情報を生成し、モニタ表示するための表示情報を生成する、
請求項１又は請求項２に記載の通信システム。
【請求項４】
一つのノードと、
前記一つのノードが移動しつつ時系列を異ならせて取得した情報又は前記一つのノードを通過する移動体から取得した情報を用いて拡張又は補間又は合成した状態でモニタ表示するための表示情報を生成する生成部と、
を備える通信システム。
【請求項５】
前記生成部は、
所定の条件で階層付けて設定した各階層で拡張又は補間又は合成条件を複合状態でモニタ表示するための表示情報を生成する、
請求項４に記載の通信システム。
【請求項６】
前記生成部は、
前記一つのノードが取得した自己の現在の情報に前記一つのノードが取得した前記時系列で異なる他の情報又は前記一つのノードが取得した自己の現在の情報に前記移動体から取得した情報、の少なくとも一部を含めることで拡張又は補間又は合成した情報を生成し、モニタ表示するための表示情報を生成する、
請求項４又は請求項５に記載の通信システム。
【発明の詳細な説明】
【技術分野】
【０００１】
本発明は、通信システムであって、特に、ピアツーピア方式を利用した通信システムに関する。
【背景技術】
【０００２】
近年、モノのインターネット（Ｉｎｔｅｒｎｅｔ  ｏｆ  Ｔｈｉｎｇｓ：ＩｏＴ）が高速に普及したことにより、パーソナルコンピュータ（パソコン）やプリンタ等のＩＴ関連機器が接続されていたインターネットに、それ以外の様々な「モノ（以下、「ＩｏＴデバイス」と称する）」を接続する技術が進んでいる。特に、テレビやデジタルカメラ、デジタルビデオカメラ、デジタルオーディオプレーヤーといったデジタル情報家電に関するＩｏＴデバイスにあっては、インターネットに接続することによってインターネット上の動画情報等の様々な関連情報を適正にダウンロード或はアップロードする流れは既に始まっている。
【０００３】
この際、ゲートウェイが、ＩｏＴデバイス側から見ると非ＩＰとＩＰとの接続を変換する役割を果たし、インターネット側から見るとＩｏＴデバイスのコントローラの役割を果たすことにより、上述したダウンロードやアップロードを可能としている。
【０００４】
さらに、ＩｏＴデバイスの中にあって、ネットワーク上で対等な関係にあるＩｏＴデバイス（端末）間をサーバを介さずに相互に直接接続し、少なくとも、自己の周辺の他のＩｏＴデバイスとの間でデータを送受信する通信方式としてピアツーピア（以下、「Ｐ２Ｐ」と称する）が普及しつつある。
【０００５】
このＰ２Ｐでは、周辺のＩｏＴデバイスが各種センサ類であった場合、互いの測定データを保持したり、近隣のデータ転送可能なデバイスを選んでデータを送ったりすることが可能なことからロバスト性が高いとされている。この際、Ｐ２Ｐにおける複数の各ＩｏＴデバイスは、ネットワークやツリー構造など、複数の要素（ＩｏＴデバイス）が結びついてできた構造体として、個々の要素をノードと称し、各ノード間を結びつける繋がりをリンクと称している。
【０００６】
これらＰ２Ｐ方式を利用したシステムとしては、例えば、ゲートウェイ、固定ノード（Ｐ２Ｐ−Ｓタグ）、移動ノード（Ｐ２Ｐ−Ｍタグ）の各種別がそれぞれフレーム送信を行うことが可能な期間を区切って設定し、各Ｐ２Ｐタグは自身の種別の期間からランダムにタイムスロットを選択するとともに、選択したタイムスロットでランダムな待機時間だけ待機した後に、自身のＩＤ及び選択したタイムスロットや待機時間を特定する情報を含むフレームを送信するようにした通信システムが知られている（例えば、特許文献１参照）。
【０００７】
また、工場を、作業単位階層と工程単位階層と製造単位階層との３階層で階層化し、任意の単位階層間、単位階層内部、および機械等内部でのデータや制御信号等の送受信の少なくとも一部にＰ２Ｐ方式の無線通信を構築した通信システムが知られている（例えば、特許文献２参照）。
【先行技術文献】
【特許文献】
【０００８】
【特許文献１】特開２０１１−１７６８８８号公報
【特許文献２】特開２００８−２８２１８８号公報
【発明の概要】
【発明が解決しようとする課題】
【０００９】
しかしながら、上述したピアツーピア方式を利用した通信システムにあっては、単に通信のタイミングを規定したものであって、ロバスト性が高いというＰ２Ｐの特性を十分に活用したものではなかった。同様に、階層的なネットワークシステムを構築したものにあっては、単にそのシステムの一部にＰ２Ｐを利用しただけであって、この技術に関してもロバスト性が高いというＰ２Ｐの特性を十分に活用したものではなかった。
【００１０】
そこで、本発明は、ロバスト性が高いというＰ２Ｐの特性を十分に活用することができる通信システムを提供することを目的とする。
【課題を解決するための手段】
【００１１】
上記課題を解決するため、本発明に係る通信システムは、少なくとも自己周辺と情報の送受信が可能となるようにリンク付けられた複数のノードと、複数のノードから取得した情報の少なくとも一つ以上を用いて拡張又は補間又は合成した状態でモニタ表示するための表示情報を生成する生成部と、を備えるものである。
【発明の効果】
【００１２】
本発明に係る通信システムによれば、ロバスト性が高いというＰ２Ｐの特性を十分に活用することができる。
【図面の簡単な説明】
【００１３】
【図１】本実施の一実施形態に係る通信システムの概要図である。
【図２】本実施の形態に係る通信システムにおけるコントローラとアプリケーションとの関係を示す説明図である。
【図３】本実施の形態に係る通信システムにおける拡張又は補間又は合成処理の一例を示す説明図である。
【図４】本実施の形態に係る通信システムにおけるビュー表示状態を模式的に示す説明図ある。
【図５】本実施の一実施形態に係る通信システムにおけるノード故障の際にバーチャルネットワークによってビュー表示状態とする場合の説明図である。
【図６】本実施の形態に係る通信システムにおける、場所を特定した際にバーチャルネットワークによってビュー表示状態とする場合の説明図である。販売経路関係を示すブロック図である。
【図７】本実施の形態に係る通信システムにおける、複数ノードの平均値をバーチャルネットワークによってビュー表示状態とする場合の説明図である。
【図８】本実施の形態に係る通信システムにおけるビュー表示状態をユーザ側から見た状態の説明図である。
【図９】本実施の形態に係る通信システムにおける階層付けて拡張又は補間又は合成したバーチャルネットワークに関するビュー表示状態とする場合の説明図である。
【図１０】本実施の形態に係る通信システムにおける一つの移動式のノードを用いて拡張又は補間又は合成したバーチャルネットワークに関するビュー表示状態とする場合の説明図である。
【図１１】本実施の形態に係る通信システムにおける一つのノードに移動体が通過する場合の説明図である。
【図１２】本実施の形態に係る通信システムにおけるノードを監視カメラに適用した場合の説明図ある。
【発明を実施するための形態】
【００１４】
図１に示すように、Ｐ２ＰネットワークＮＷには、例えば、センサ方式の複数のノードｎ１〜ｎ７（以下、特に指定のない限り符号「ｎ」で省略する）が配置され、図示細矢印で示すように、少なくとも周辺に配置した他のノードｎとで検出データ等を含むノードデータを相互に送受信することができる。この際、ノードデータとしては、例えば、センサ機能により取得した検出データの他、位置情報や時間情報、個体識別情報（ポリシー）等を含んでいる。
【００１５】
また、各ノードｎは、例えば、スマートフォンやタブレット端末等の表示画面１ａを有する携帯端末１の他、例えば、後述するゲートウェイを介したＩｏＴデバイス（例えば、デジタルテレビなど）と個別に接続してノードデータを送信することができる。
【００１６】
図２に示すように、携帯端末１は、ノードｎとのセッションを確立するためのＰ２Ｐコントローラと、ノードデータを所定の状態で表示画面１ａに表示するためのアプリケーションがインストールされている。これにより、携帯端末１は、予め装備されている通信機能を利用してノードｎとデータの送受信が可能となっている。なお、後述するＩｏＴデバイスにおいても、ゲートウェイを介して同様の通信を行うことができる。また、以下の説明においては、携帯端末１とノードｎとの通信には、近距離無線通信技術としてのＢｌｕｅｔｏｏｔｈ（登録商標）の拡張仕様の一つで、極低電力で通信が可能なＢＬＥ（Ｂｌｕｅｔｏｏｔｈ  Ｌｏｗ  Ｅｎｅｒｇｙ）により通信を行うものとする。
【００１７】
ここで、携帯端末１とノードｎとの通信（セッション）の一例を説明する。アプリケーションを立ち上げた携帯端末１から任意のノードｎ（例えば、図１においてノードｎ５）に対してセッション要求を実行すると、携帯端末のＣＰＵがＰ２Ｐコントローラを起動する。Ｐ２Ｐコントローラは、ＢＬＥ通信によりノードｎと接続するとともにノードｎにセッション要求を送信する。ノードｎは、セッションのポリシー及び許可を取得し、そのセッション要求を認証する。この認証がなされると、Ｐ２Ｐコントローラは、ノードｎとの間で直接セッションを確立する。これにより、携帯端末１は、表示画面１ａにノードｎの情報を表示することができる。
【００１８】
本実施の形態では、携帯端末１には、上述したＰ２Ｐコントローラとアプリケーションとに加え、Ｐ２Ｐコントローラとアプリケーションとの間に、バーチャルＰ２Ｐコントローラをインストールしている。なお、このバーチャルＰ２Ｐコントローラは、特許請求の範囲における生成部として機能するものである。
【００１９】
バーチャルＰ２Ｐコントローラは、例えば、図３に示すように、Ｐ２ＰネットワークＮＷに３つのセンサ系のノードｎ１〜ｎ３が配置されているとする。バーチャルＰ２Ｐコントローラは、ノードｎ１〜ｎ３が取得したノードデータを拡張又は補間又は合成したバーチャルネットワークＮＷ１に関するビュー表示状態としたうえで、そのノードデータを携帯端末１の表示画面１ａにモニタ表示するための表示情報を生成する。
【００２０】
例えば、バーチャルＰ２Ｐコントローラは、高価な機能を備えたノードｎを複数配置できない場合等には拡張したバーチャルネットワークＮＷ１に関するビュー表示状態としたうえで、そのノードデータを携帯端末１の表示画面１ａにモニタ表示するための表示情報を生成する。
【００２１】
また、バーチャルＰ２Ｐコントローラは、ノードｎの設置スペースに制約があって所望の数だけ配置できない場合には補間したバーチャルネットワークＮＷ１に関するビュー表示状態としたうえで、そのノードデータを携帯端末１の表示画面１ａにモニタ表示するための表示情報を生成する。
【００２２】
さらに、バーチャルＰ２Ｐコントローラは、厳密なノードデータとは別におよそのノードデータが知りたい場合には合成したバーチャルネットワークＮＷ１に関するビュー表示状態としたうえで、そのノードデータを携帯端末１の表示画面１ａにモニタ表示するための表示情報を生成する。
【００２３】
このように、バーチャルＰ２Ｐコントローラは、ロバスト性が高いというＰ２Ｐの特性を十分に活用し、汎用性を向上することができる。
【００２４】
ここで、ノードｎ１とノードｎ２とは室温計としてのセンサ機能を有し、ノードｎ３は室温系に加え湿度計としてのセンサ機能を有しているものとする。
【００２５】
そして、バーチャルＰ２Ｐコントローラは、例えば、ノードｎ２に関し、他のノードｎ１やノードｎ３から受信したノードｎ１のノードデータ及びノードｎ３のノードデータの少なくとも一部（例えば、ノードｎ３の湿度情報）を利用する。これにより、バーチャルＰ２Ｐコントローラは、あたかもノードｎ２が湿度計を有しているノードｎ８であるかのようなノードデータを拡張したバーチャルネットワークＮＷ１に関するビュー表示状態としたうえで、そのノードデータを携帯端末１の表示画面１ａにモニタ表示するための表示情報として生成することができる。この際、ノードｎ３からノードｎ２が取得した湿度情報は、ノードｎ２の近傍に設置したノードｎ３から取得したものであることから、ロバスト性が高い湿度情報であるものとして取り扱うことができる。
【００２６】
また、バーチャルＰ２Ｐコントローラは、例えば、ノードｎ１〜ｎ３に関し、Ｐ２ＰネットワークＮＷにおける空きスペースが存在しているような場合、ノードｎ１〜ｎ３から受信したノードデータの少なくとも一部（例えば、ノードｎ１〜ｎ３の室温情報）を利用する。これにより、バーチャルＰ２Ｐコントローラは、あたかも空きスペースにノードｎ９が存在しているようなノードデータを補間したバーチャルネットワークＮＷ１に関するビュー表示状態としたうえで、そのノードデータを携帯端末１の表示画面１ａにモニタ表示するための表示情報として生成することができる。この際、ノードｎ１〜ｎ３が取得した湿度情報に基づいてノードｎ１〜ｎ３の近傍に仮想のノードｎ９を配置したものであるから、ロバスト性が高い湿度情報であるものとして取り扱うことができる。
【００２７】
また、バーチャルＰ２Ｐコントローラは、例えば、ノードｎ１〜ｎ３に関し、Ｐ２ＰネットワークＮＷにおける配置が接近（又は離間）しているような場合、ノードｎ１〜ｎ３から受信したノードデータの少なくとも一部（例えば、ノードｎ１〜ｎ３の室温情報）を利用する。これにより、バーチャルＰ２Ｐコントローラは、あたかも一つのノードｎ１０によるものであるようなノードデータを合成したバーチャルネットワークＮＷ１に関するビュー表示状態としたうえで、そのノードデータを携帯端末１の表示画面１ａにモニタ表示するための表示情報として生成することができる。この際、ノードｎ１〜ｎ３が取得した湿度情報から、ノードｎ１〜ｎ３を含むようにノードｎ１０を拡張したものであるから、ロバスト性が高い湿度情報であるものとして取り扱うことができる。
【００２８】
このように、本実施の形態に係る通信システムは、少なくとも自己周辺と情報の送受信が可能となるようにリンク付けられた複数のノードｎと、複数のノードｎから取得した情報の少なくとも一つ以上を用いて拡張又は補間又は合成した状態でモニタ表示するための表示情報を生成する生成部（バーチャルＰ２Ｐコントローラ）と、を備えることにより、ロバスト性が高いというＰ２Ｐの特性を十分に活用することができる。なお、上述した拡張又は補間又は合成を行う理由や使用勝手等は一例であって、例えば、複数のノードｎの一つが故障した場合における故障ノードに代わる補間といったように、これらに限定されるものではない。
【００２９】
以下、より具体的な利用例を説明する。図４に示すように、Ｐ２ＰネットワークＮＷに複数のノードｎ１〜ｎ７が配置されているとする。バーチャルＰ２Ｐコントローラは、ノードｎ１〜ｎ７が少なくとも周辺の他のノードｎ１〜ｎ７が取得したノードデータを、どのノードｎが検出したものであるかの識別を可能とした状態で自己のノードデータと一緒にメモリ等に格納している。
【００３０】
一方、携帯端末１は、Ｐ２Ｐコントローラによりノードｎとのセッションを確立すると、アプリケーションによりノードデータを所定の状態で表示画面１ａに表示する。なお、デジタルテレビ２といったＩｏＴデバイスにおいても、ゲートウェイ３を介して同様の通信を行うことができる。
【００３１】
ここで、携帯端末１やゲートウェイ３は、インターネット等の電気通信回線ＮＴを通じて、Ｐ２ＰネットワークＮＷにある、すべてのノードｎに対して同時に同じノードデータをブロードキャスト的に不特定多数に送受信することも可能である。また、携帯端末１やデジタルテレビ２は、状況に応じてバーチャルＰ２Ｐコントローラを利用し、ノードｎが取得したノードデータを拡張又は補間又は合成したバーチャルネットワークＮＷ１に関するビュー表示状態により、そのノードデータをモニタ表示する。
【００３２】
ここで、上述した補間は、無いものを存在するかのように見せかけるように周囲のノードｎを利用したもの、すなわち、ノードデータが全くない場合にあるかのように生成するものとして説明したが、例えば、今まであったノードデータの補間も可能である。
【００３３】
例えば、図５に示すように、何らかの理由でノードｎ１に故障等（例えば、電池切れ等を含む）が発生した場合、それまでに他のノードｎ（例えば、ノードｎ４）には故障したノードｎ１の情報が送受信されていることから、その過去の情報を保持している他のノードｎ４のノードデータからノードｎ１のノードデータを取得し、ノードｎ４から取得したノードｎ１のノードデータをノードｎ１’とするバーチャルネットワークＮＷ１に関するビュー表示状態情報を生成することで、携帯端末１の表示画面１ａにノードｎ１のノードデータをモニタ表示することができる。
【００３４】
なお、バーチャルＰ２Ｐコントローラは、バーチャルネットワークＮＷ１に対して、例えば、図６に示すように、携帯端末１から場所を特定したノードｎ（例えば、ノードｎ４）に関するノードデータの要求があった場合には、場所等の条件に合ったノードデータをビュー表示状態することも可能である。
【００３５】
この際、上述した合成には、バーチャルＰ２Ｐコントローラは、バーチャルネットワークＮＷ１に対して、例えば、図７に示すように、携帯端末１から場所を特定した複数のノードｎ（例えば、ノードｎ２とノードｎ４）に対する平均値に関するノードデータの要求があった場合には、そのノードデータの平均値をビュー表示状態する場合のように、複数の平均値の場合を含ませることができる。
【００３６】
これにより、携帯端末１のユーザは、図８に示すように、実際のＰ２ＰネットワークＮＷにノードｎがどのような状態にあるかを気にすることなく、バーチャルネットワークＮＷ１の表示状態を、実際のＰ２ＰネットワークＮＷを見ているかのようなビュー表示状態を確認することができる。
【００３７】
また、本実施の形態におけるバーチャルＰ２Ｐコントローラは、図９に示すように、複数のノードｎ１１〜ｎ１８を用いたビュー表示状態を階層付けて拡張又は補間又は合成したバーチャルネットワークＮＷ１，ＮＷ２に関するビュー表示状態としたうえで、そのノードデータをモニタ表示するための表示情報を生成することも可能である。
【００３８】
具体的には、マンション等において、Ｐ２ＰネットワークＮＷに複数のノードｎ１１〜ｎ１７を配置した場合、管理人が所有する携帯端末１では、バーチャルＰ２Ｐコントローラを用いてにアプリケーションにより配置したままのノードｎ１１〜ｎ１７及び補間したノードｎ１８のノードデータをＲａｗレベルで表示する。
【００３９】
そして、マンションの住人が所有する携帯端末１では、上層のバーチャルネットワークＮＷ１に、バーチャルＰ２Ｐコントローラを用いてアプリケーションにより配置したままのノードｎ１２〜ｎ１４のノードデータ、拡張したノードｎ１１’のノードデータ、補間したノードｎ１８のノードデータ、ノードｎ１５〜ｎ１７を合成したノードｎ１５’、のノードデータをＬｏｃａｌレベルで表示する。
【００４０】
そして、マンションの住人以外が所有する携帯端末１では、下層のバーチャルネットワークＮＷ２に、バーチャルＰ２Ｐコントローラを用いてアプリケーションにより配置したままのノードｎ１２のノードデータ、さらに合成したノードｎ１４’及びノード１３’のノードデータをＧｌｏｂａｌレベルで表示する。
【００４１】
このように、バーチャルＰ２Ｐコントローラは、複数のノードｎのうちの一つのノードが取得した自己の情報に、複数のノードｎのうち少なくとも一つのノードの周辺のノードから取得した他の情報の少なくとも一部を含めることで拡張又は補間又は合成した情報を生成し、モニタ表示するための表示情報を生成することができるうえ、それを各層で変化した複合状態となるように繰り返して拡張又は補間又は合成することにより、階層付けに対応することも可能である。
【００４２】
ところで、上記実施の形態では、バーチャルＰ２Ｐコントローラは、複数のノードｎを対象として拡張又は補間又は合成する場合で説明したが、例えば、図１０に示すように、一つのノードｎ２１が移動しつつ時系列を異ならせて取得したノードデータを用いて拡張又は補間又は合成した状態でモニタ表示するための表示情報を生成することも可能である。
【００４３】
なお、バーチャルＰ２Ｐコントローラは、一つのノードｎ２１が取得した自己の現在のノードデータに、一つのノード２１が取得した時系列で異なる他のノードｎのノードデータの少なくとも一部を含めることで拡張又は補間又は合成したノードデータを携帯端末１の表示画面１ａにモニタ表示するための表示情報を生成することができる。
【００４４】
同様に、図１１に示すように、一つのノードｎ３１を温度計とし、ノードｎ３１を通過する移動体としての自動車５から取得した情報（例えば、ワイパの作動や走行速度等）を用いて拡張又は補間又は合成した状態でモニタ表示するための表示情報を生成することも可能である。
【００４５】
これにより、自己は温度計としての機能しか持ち合わせていないノードｎ３１でありながら、ワイパの作動による雨天検出や、走行速度による渋滞検出といったように、ノードｎ３１が本来持ち合わせていない情報を含めた周辺環境情報を補間した状態でモニタ表示するための表示情報を生成することも可能である。なお、自動車５から取得した情報は、上述した補間に限らず、拡張（例えば、気温とワイパの作動と走行速度によって雨量を推測）や合成（自己が検出した気温と自動車５のエアコン設定温度）することができる。
【００４６】
このように、一つのノードｎ３１が取得した自己の現在の情報に一つのノードｎ３１が取得した自己の現在の情報の少なくとも一部を含めることで拡張又は補間又は合成した情報を生成し、モニタ表示するための表示情報を生成することも可能である。
【００４７】
また、上記実施の形態では、ノードｎをセンサ類とした場合で説明したが、例えば、図１２に示すように、監視カメラ６を用い、その監視カメラ６によって撮影した所定の位置（例えば、受付カウンタ等）における混雑状況に対する動画又は静止画の画像データ（ノードデータ）をノードｎ４１に置き換えるとともに、監視位置としての隣接する受付カウンタにおける混雑状況を補間したノードｎ４１’及びノードｎ４１”としてもよい。
【００４８】
本発明の通信システムは、ロバスト性が高いというＰ２Ｐの特性を十分に活用することができるという効果を有し、通信システムであって、特に、ピアツーピア方式を利用した通信システム全般に適用することができる。
【符号の説明】
【００４９】
１  携帯端末
１ａ  表示画面
２  デジタルテレビ（ＩｏＴデバイス）
３  ゲートウェイ
ｎ  ノード
【図１】
2017142713.tif 000003
【図２】
2017142713.tif 000004
【図３】
2017142713.tif 000005
【図４】
2017142713.tif 000006
【図５】
2017142713.tif 000007
【図６】
2017142713.tif 000008
【図７】
2017142713.tif 000009
【図８】
2017142713.tif 000010
【図９】
2017142713.tif 000011
【図１０】
2017142713.tif 000012
【図１１】
2017142713.tif 000013
【図１２】
2017142713.tif 000014
【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
少なくとも自己周辺と情報の送受信が可能となるようにリンク付けられた複数のノードと、
前記複数のノードから取得した情報の少なくとも一つ以上を用いて、所定の条件で階層付けて拡張又は補間又は合成した状態でモニタ表示するための表示情報を生成する生成部と、
を備える通信システム。
【請求項２】
前記生成部は、
前記複数のノードのうちの一つのノードが取得した自己の情報に、前記複数のノードのうち少なくとも前記一つのノードの周辺のノードから取得した他の情報の少なくとも一部を含めることで拡張又は補間又は合成した情報を生成し、モニタ表示するための表示情報を生成する、
請求項１に記載の通信システム。
【請求項３】
一つのノードと、
前記一つのノードが移動しつつ時系列を異ならせて取得した情報又は前記一つのノードを通過する移動体から取得した情報を用いて、所定の条件で階層付けて拡張又は補間又は合成した状態でモニタ表示するための表示情報を生成する生成部と、
を備える通信システム。
【請求項４】
前記生成部は、
前記一つのノードが取得した自己の現在の情報に前記一つのノードが取得した前記時系列で異なる他の情報又は前記一つのノードが取得した自己の現在の情報に前記移動体から取得した情報、の少なくとも一部を含めることで拡張又は補間又は合成した情報を生成し、モニタ表示するための表示情報を生成する、
請求項３に記載の通信システム。
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
少なくとも自己周辺と情報の送受信が可能となるようにリンク付けられた複数のノードと、
前記複数のノードから取得した情報の少なくとも一つ以上を用いて拡張又は補間又は合成した状態でモニタ表示するための表示情報を生成する生成部とを備え、
前記生成部は、所定の条件で階層付けて設定した各階層で拡張又は補間又は合成条件を複合状態でモニタ表示するための表示情報を生成する、
通信システム。
【請求項２】
前記生成部は、
前記複数のノードのうちの一つのノードが取得した自己の情報に、前記複数のノードのうち少なくとも前記一つのノードの周辺のノードから取得した他の情報の少なくとも一部を含めることで拡張又は補間又は合成した情報を生成し、モニタ表示するための表示情報を生成する、
請求項１に記載の通信システム。
【請求項３】
一つのノードと、
前記一つのノードが移動しつつ時系列を異ならせて取得した情報又は前記一つのノードを通過する移動体から取得した情報を用いて拡張又は補間又は合成した状態でモニタ表示するための表示情報を生成する生成部とを備え、
前記生成部は、所定の条件で階層付けて設定した各階層で拡張又は補間又は合成条件を複合状態でモニタ表示するための表示情報を生成する、
通信システム。
【請求項４】
前記生成部は、
前記一つのノードが取得した自己の現在の情報に前記一つのノードが取得した前記時系列で異なる他の情報又は前記一つのノードが取得した自己の現在の情報に前記移動体から取得した情報、の少なくとも一部を含めることで拡張又は補間又は合成した情報を生成し、モニタ表示するための表示情報を生成する、
請求項３に記載の通信システム。